(57)【要約】【課題】面状照明装置の衝撃耐性を向上させ、かつ、輝度向上を図る。【解決手段】ＬＥＤ１０６から出射された光が、導光板１２の入光面１２ａに入光する際に、入光面１２ａに形成されたモスアイパターン１２ｅによる、入光面１２ａでの光の反射の低減作用により、導光板１２への入光効率を向上させる。導光板１２の入光面１２ａには突起部１２ｆが形成されており、この突起部１２ｆのＬＥＤ１０６へ向けての突出量Ｈが、モスアイパターン１２ｅのＬＥＤ１０６へ向けての突出量Ｔに比して大きく構成されている。このため、導光板１２の入光面１２ａと、入光面１２ａに対向するＬＥＤ１０６とが接触する際には、モスアイパターン１２ｅよりも突出量が大きい突起部１２ｆが当接することとなり、ＬＥＤ１０６とモスアイパターン１２ｅとが離間した状態が、常に維持されることとなる。【選択図】図１
2014107155.tif 000002
【特許請求の範囲】
【請求項１】
光源と、該光源に対向配置される入光面から光を入射させ、該入射光を出射面から出射させる導光板とを含む面状照明装置であって、
前記導光板の入光面に、モスアイパターンと突起部とを有し、前記モスアイパターンの前記光源へ向けての突出量に比して、前記突起部の前記光源へ向けての突出量の方が大きく構成されていることを特徴とする面状照明装置。
【請求項２】
前記突起部は、前記入光面の前記光源に当接可能な位置に設けられていることを特徴とする請求項１記載の面状照明装置。
【請求項３】
前記突起部は、前記入光面の短手方向の両端のうち少なくとも一方に沿って延びるように形成されていることを特徴とする請求項１又は２記載の面状照明装置。
【請求項４】
前記突起部は、前記入光面の短手方向に延びる形態で形成されていることを特徴とする請求項１から３のいずれか１項記載の面状照明装置。
【請求項５】
前記突起部が、前記光源の位置決め部を備えることを特徴とする請求項４記載の面状照明装置。
【請求項６】
前記突起部は、前記入光面の短手方向に延びる形態で、前記入光面の長手方向に互いに間隔を置いて形成された、複数の入光プリズムを含むことを特徴とする請求項４記載の面状照明装置。
【請求項７】
前記モスアイパターンは、前記入光プリズム間に設けられた平坦部に形成されていることを特徴とする請求項６記載の面状照明装置。
【請求項８】
前記モスアイパターンは、前記入光プリズムを構成する傾斜面に形成されていることを特徴とする請求項６又は７記載の面状照明装置。
【請求項９】
前記モスアイパターンには、２種類以上のパターン部が含まれることを特徴とする請求項１から８のいずれか１項記載の面状照明装置。
【請求項１０】
光源の発光中心部に対する距離に応じて、異なる態様のパターン部が配置されていることを特徴とする請求項９項記載の面状照明装置。
【発明の詳細な説明】
【技術分野】
【０００１】
本発明は、面状照明装置に関するものである。
【背景技術】
【０００２】
近年、パーソナルコンピュータや携帯電話等の電子装置の表示デバイスとして液晶表示装置が広く使用されている。液晶は、ブラウン管等とは異なり自発光型の表示素子ではないため、たとえば透過型の液晶表示装置では、その液晶パネルに対して光を照射する照明手段が必須であり、外光を利用する半透過型の液晶表示装置でも、暗所での使用を可能にするために補助的な照明手段を備えている。導光板と光源とを主要な構成要素とする面状照明装置は、薄型化が容易であるという利点を有するため、このような液晶表示装置の照明手段として好適に使用されるものである。
そして、面状照明装置の小型・薄型化及び低消費電力化を図るため、近年の高性能化が著しい白色発光ダイオード（ＬＥＤ）を光源とする面状照明装置が、広く用いられている。又、面状照明装置のさらなる小型・薄型化及び低消費電力化を図るため、導光板の側面を入光面として、この入光面を光源に対向配置し、入光面から光を入射させ、該入射光を導光板の主面である出射面から出射させることで、主面を発光面として構成した、いわゆるエッジライト方式の面状照明装置も一般的となっている。
【０００３】
図６には、従来の、エッジライト方式の面状照明装置１００をバックライトとして備える液晶表示装置が概略的に示されている。この面状照明装置１００は、導光板１０２と、導光板１０２の入光面を構成する側端面１０２ａに対向して配置される基板１０４に実装された、点状光源としてのＬＥＤ１０６とを備えている。又、導光板１０２の主面（光出射面）１０２ｂにはＬＣＤ１０８が配置され、導光板１０２の主面１０２ｂとは反対側の主面（裏面）１０２ｃに配置される反射シート１１０と、これらの各構成要素を収納するケース１１２とによって、一体の液晶表示装置が構成されている。
このようなエッジライト方式の面状照明装置１００において、導光板１０２の入光面１０２ａでの光の反射を低減し、入光効率を向上させるために、入光面１０２ａの、ＬＥＤ１０６と対向する領域に、いわゆるモスアイパターン（モスアイ構造部）を設ける技術が発案されている（例えば、特許文献１参照）。
【先行技術文献】
【特許文献】
【０００４】
【特許文献１】特開２００６−１４７４４４号公報
【発明の概要】
【発明が解決しようとする課題】
【０００５】
しかしながら、本発明者らの研究の結果、モスアイパターンを一体形成した導光板を用いて面状照明装置を構成したところ、モスアイパターンが破損する（入光面から剥離する）事態が生じる場合があることが確認された。これは、モスアイパターンが、光の波長以下の周期で複数の突起を集合形成した構造を有するものであり、外部からの衝撃に対する耐性が脆弱であることが一因であると考えられるものである。しかもモスアイパターンにより必要な光学特性を得るために、モスアイパターンを構成する突起のアスペクト比（突起の高さｈとその間隔ａとの比：ｈ／ａ）も大きく構成する必要があり、衝撃耐性をより一層低下させる要因となっている。
【０００６】
又、光源と導光板とを対向配置させて面状照明装置が組み上げられた後にも、外部振動や熱膨張等によりモスアイパターンに外力が加わり易い環境下では、モスアイ構造が徐々に破損し、長期信頼性が確保し難ということも懸念される。その一方で、面状照明装置の更なる輝度向上の要請は高まるばかりであり、導光板の入光面における光の反射率をより一層低減することが求められている。
本発明は、上記課題に鑑みてなされたものであり、その目的とするところは、面状照明装置の衝撃耐性を向上させ、かつ、輝度向上を図ることにある。
【課題を解決するための手段】
【０００７】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）光源と、該光源に対向配置される入光面から光を入射させ、該入射光を出射面から出射させる導光板とを含む面状照明装置であって、前記導光板の入光面に、モスアイパターンと突起部とを有し、前記モスアイパターンの前記光源へ向けての突出量に比して、前記突起部の前記光源へ向けての突出量の方が大きく構成されている面状照明装置（請求項１）。
【０００９】
本項に記載の面状照明装置は、光源から出射された光が、導光板の入光面に入光する際に、入光面に形成されたモスアイパターンによる、入光面での光の反射の低減作用により、導光板への入光効率を向上させるものである。導光板の入光面には、モスアイパターンと別に突起部が形成されており、しかも、この突起部の光源へ向けての突出量が、モスアイパターンの光源へ向けての突出量に比して大きく構成されている。このため、導光板の入光面と、入光面に対向する光源との接触は、モスアイパターンよりも突出量が大きい突起部が当接する態様となり、光源とモスアイパターンとが離間した状態が、常に維持されることとなる。
その結果として、モスアイパターンと光源とが接触することに起因する、モスアイパターンの破損を回避するものとなる。又、光源と導光板とを対向配置させて面状照明装置が組み上げられた後に、外部振動や熱膨張等により光源と導光板との位置関係に変化が生じたとしても、光源からモスアイパターンへと力が加わることを回避するものとなる。
【００１０】
（２）上記（１）項において、前記突起部は、前記入光面の前記光源に当接可能な位置に設けられている面状照明装置（請求項２）。
本項に記載の面状照明装置は、突起部は、入光面の光源に当接可能な位置に設けられていることにより、光源と突起部とが確実に当接し、光源とモスアイパターンとが離間した状態が、常に維持されることとなる。
【００１１】
（３）上記（１）（２）項において、前記突起部は、前記入光面の短手方向の両端のうち少なくとも一方に沿って延びるように形成されている面状照明装置（請求項３）。
本項に記載の面状照明装置は、入光面の短手方向の両端のうち少なくとも一方に沿って延びるように形成された突起部が、光源に確実に当接することで、光源とモスアイパターンとが離間した状態が、常に維持されることとなる。なお、光源としてＬＥＤを用いる場合には、本項に係る突起部が、ＬＥＤのランプハウスの頂面の少なくとも一端部又はその近傍に当接することにより、光源とモスアイパターンとの直接的な接触を防ぐものである。又、突起部が、入光面の短手方向の両端に沿って延びるように形成され、ＬＥＤのランプハウスの頂面の発光面を挟んで、ランプハウスの頂面の、導光板の厚み方向の両端部近傍と対向する部分に、突起部が位置することとすれば、ＬＥＤと突起部とがより安定的に当接するものとなる。
【００１２】
（４）上記（１）から（３）項において、前記突起部は、前記入光面の短手方向に延びる形態で形成されている面状照明装置（請求項４）。
本項に記載の面状照明装置は、入光面の短手方向に延びる形態で形成された突起部が、光源に確実に当接することで、光源とモスアイパターンとが離間した状態が、常に維持されることとなる。なお、光源としてＬＥＤを用いる場合には、本項に係る突起部が、ＬＥＤのランプハウスの頂面の長手方向に対向する端部の近傍に当接することにより、光源とモスアイパターンとの直接的な接触を防ぐものである。本項においても、突起部は、ＬＥＤのランプハウスの頂面の発光面を挟んで、両側に当接することとしても良く、又、片側にのみ当接することとしても良いが、両側に当接することとすれば、ＬＥＤと突起部とがより安定的に当接するものとなる。
【００１３】
（５）上記（４）項において、前記突起部が、前記光源の位置決め部を備える面状照明装置（請求項５）。
本項に記載の面状照明装置は、入光面の短手方向に延びる形態で形成されている突起部に設けた位置決め部によって、光源と突起部との位置決めがなされるものである。これにより、光源と導光板の入光面に形成されたモスアイパターンとの位置決めが、確実になされるものとなる。
【００１４】
（６）上記（４）項において、前記突起部は、前記入光面の短手方向に延びる形態で、前記入光面の長手方向に互いに間隔を置いて形成された、複数の入光プリズムを含む面状照明装置（請求項６）。
本項に記載の面状照明装置は、入光面の短手方向に延びる形態で形成された突起部が、光源に確実に当接することで、光源とモスアイパターンとが離間した状態が、常に維持されることとなる。しかも、突起部には、入光面の長手方向に互いに間隔を置いて形成された複数の入光プリズムが含まれることで、光源から出射された光が、導光板の入光面に入光する際に、入光面に形成された入光プリズムによる、入光面での光の配向制御作用により、導光板への入射光の配向分布の適正化を図るものである。
【００１５】
（７）上記（６）項において、前記モスアイパターンは、前記入光プリズム間に設けられた平坦部に形成されている面状照明装置（請求項７）。
本項に記載の面状照明装置は、モスアイパターンが、入光プリズム間に設けられた平坦部に形成されていることにより、導光板の入光面と、入光面に対向する光源とが接触する際には、モスアイパターンよりも突出量が大きい入光プリズムが当接することとなり、光源とモスアイパターンとが離間した状態が、常に維持されることとなる。
【００１６】
（８）上記（６）（７）項において、前記モスアイパターンは、前記入光プリズムを構成する傾斜面に形成されている面状照明装置（請求項８）。
本項に記載の面状照明装置は、モスアイパターンが、入光プリズムを構成する傾斜面に形成されていることにより、導光板の入光面と、入光面に対向する光源とが接触する際には、モスアイパターンよりも突出量が大きい入光プリズムの頂部が当接することとなり、光源とモスアイパターンが形成された入光プリズムの傾斜面とが離間した状態が、常に維持されることとなる。
【００１７】
（９）上記（１）から（８）項において、前記モスアイパターンには、２種類以上のパターン部が含まれる面状照明装置（請求項９）。
本項に記載の面状照明装置は、光源から出射された光が、導光板の入光面に入光する際に、入光面に形成されたモスアイパターンによる、入光面での光の反射の低減作用を、モスアイパターンに含まれる、２種類以上のパターン部の形態により適正化し、導光板への入光効率をより一層向上させるものである。
【００１８】
（１０）上記（９）項において、光源の発光中心部に対する距離に応じて、異なる態様のパターン部が配置されている面状照明装置（請求項１０）。
本項に記載の面状照明装置は、光源から出射された光が、導光板の入光面に入光する際に、入光面に形成されたモスアイパターンによる、入光面での光の反射の低減作用を、光源の発光中心部に対する距離に応じて配置された、２種類以上のパターン部の態様により適正化し、導光板への入光効率をより一層向上させるものである。
【発明の効果】
【００１９】
本発明はこのように構成したので、面状照明装置の衝撃耐性を向上させ、かつ、輝度向上を図ることが可能となる。
【図面の簡単な説明】
【００２０】
【図１】本発明の実施の形態に係る面状照明装置の要部を示す縦断面図である。
【図２】（ａ）（ｂ）共に、図１に示される面状照明装置の応用例を示す横断面図である。
【図３】図１に示される面状照明装置の、導光板の応用例を示すものであり、（ａ）は導光板の斜視図及び要部拡大図、（ｂ）は本応用例の効果を示す図表である。
【図４】図１に示される面状照明装置の、導光板の別の応用例を示す、斜視図及び要部拡大図である。
【図５】図１に示される面状照明装置の、導光板の更に別の応用例を示すものであり、（ａ）は導光板の斜視図及び要部拡大図、（ｂ）は本応用例の効果を示す図表であり、（ｃ）は（ａ）に示される面状照明装置の要部縦断面図である。
【図６】従来の面状照明装置を備える液晶表示装置の模式断面図である。
【発明を実施するための形態】
【００２１】
以下、本発明の実施の形態を図面に基づき説明する。ここで、従来技術と同一部分、若しくは相当する部分については適宜同一符号で示し、詳しい説明を省略する。又、以下の説明における「上」、「下」の方向は、本説明における面状照明装置を平置きした状態での、上下方向を意味するものである。
図１に示される、本発明の実施の形態に係るエッジライト方式の面状照明装置１０は、導光板１２と、ＬＥＤ１０６とを備えている。そして、ＬＥＤ１０６に対向配置される導光板１２の入光面１２ａから光を入射させ、入射光を主面である出射面１２ｂから出射させるものである。なお、面状照明装置１０は、図６に示される従来例と同様の液晶表示装置を構成するものであることから、適宜、図６も参照されたい。
【００２２】
本実施の形態に係る面状照明装置１０は、特徴部分として、導光板１２の入光面１２ａに、モスアイパターン１２ｅと突起部１２ｆとを有している。しかも、モスアイパターン１２ｅのＬＥＤ１０６へ向けての突出量に比して、突起部１２ｆのＬＥＤ１０６へ向けての突出量の方が大きく構成されている。
この突起部１２ｆは、入光面１２ａのＬＥＤ１０６に当接可能な位置に設けられており、図１の例では、突起部１２ｆの高さ（厚み）Ｈは、モスアイパターン１２ｅの高さ（厚み）Ｔよりも大きく（Ｈ＞Ｔ）なるように形成されている。又、図１の突起部１２ｆは、入光面１２ａの上下端面又はその近傍に沿うようにして、入光面１２ａの短手方向両端部（図１の上下端部）に、主面１２ｂ、１２ｃを構成する平面と平行な方向に沿って延びるように形成されている。
【００２３】
又、突起部１２ｆがＬＥＤ１０６に当接するための寸法として、導光板１２の入光面１２ａの厚み寸法は、ＬＥＤ１０６の高さ寸法Ｗ２（図１の上下方向）と同一であり、上下の主面に沿った突起部１２ｆの間隔（モスアイパターン１２ｅの幅）Ｌは、ＬＥＤ１０６の高さ寸法Ｗ２以下となるように（Ｌ≦Ｗ２）形成されている。
なお、ＬＥＤ１０６の発光面１０６ａ（寸法Ｗ１で示される範囲）から多くの光が出射されることから、白色樹脂等からなるランプハウスの頂面１０６ｂに突起部１２ｆが接触するように、ＬＥＤの寸法Ｗ１、Ｗ２に対応して、一対の突起１２ｆの間隔Ｌを設定する（Ｗ１≦Ｌ≦Ｗ２）ことが望ましい。又、図示は省略するが、突起部１２ｆを、適宜、入光面１２ａの短手方向の一端部（すなわち、図１の上端部又は下端部）においてのみ延びるように、設けることとしても良い。
【００２４】
又、図２に示された応用例では、突起部１２ｆは、導光板１２の入光面１２ａの短手方向と平行に延びる形態、すなわち導光板１２の厚み方向（図２の紙面と直交する方向）に延びるようにして形成されているものである。ここで、図２（ａ）の例は、導光板１２の入光面１２ａの長手方向に一定間隔を空けて複数配置されるＬＥＤ１０６の、各長手方向両端部に、間隔を空けて突起部１２ｆを設けたものである。一方、図２（ｂ）の例では、導光板１２の入光面１２ａの長手方向に隣接するＬＥＤ１０６の間に、一つの突起１２ｆを、隣接するＬＥＤ１０６同士で共用するように設けたものである。
図２（ｂ）の例では、加えて、突起１２ｆに、ＬＥＤ１０６のランプハウスの頂面１０６ｂの位置決め部として機能する、段部１２ｇを設けている。
【００２５】
一方、図３の応用例では、導光板１２の入光面１２ａの短手方向と平行に延びる形態で形成された突起部１２ｆｐは、導光板１２の入光面１２ａの長手方向に互いに間隔を置いて形成された、導光板１２内に入射する際の光の配向を制御する複数の入光プリズムを構成するものである。そして、モスアイパターン１２ｅは、入光プリズム１２ｆｐ間に設けられた平坦部に形成されているものである。
他方、図４の応用例では、モスアイパターン１２ｅは、入光プリズム１２ｆｐを構成する傾斜面に形成されている。
【００２６】
更に、図５（ａ）に示される応用例は、モスアイパターン１２ｅとして、２種類のパターン部１２ｅ１、１２ｅ２が含まれるものである。図示の例では、異なる態様のパターン部１２ｅ１、１２ｅ２は、ＬＥＤ１０６の発光中心部に対する距離に応じて、アスペクト比を変えたものであり、中心部寄りの、第１のパターン部１２ｅ１のアスペクト比を小さくし、第１のパターン部１２ｅ１の両側に位置する、第２のパターン部１２ｅ２のアスペクト比を大きくしたものである。一例として、第１のパターン部１２ｅ１のアスペクト比を０．８に、第２のパターン部１２ｅ２のアスペクト比を１．１に設定する。このように、アスペクト比が１前後であれば、導光板１２を射出成型によって製造する際に、モスアイパターン１２ｅが形成された入光部１２ａの成形性や離型性が損なわれないことが、本発明者らによって確認されている。
なお、図５（ａ）の例では、図１の例と同様に、入光面１２ａの上下端面近傍に沿うようにして、突起部１２ｆが形成されている。更には、図２〜図４に示される形態と同様に、突起部１２ｆ、１２ｆｐが構成される場合にも、２種類のパターン部１２ｅ１、１２ｅ２が含まれるように、モスアイパターン１２ｅを構成することも可能である。
【００２７】
さて、上記構成をなす本発明の実施の形態によれば、次のような作用効果を奏するものである。
すなわち、本発明の実施の形態に係る面状照明装置１０は、ＬＥＤ１０６から出射された光が、導光板１２の入光面１２ａに入光する際に、入光面１２ａに形成されたモスアイパターン１２ｅによる、入光面１２ａでの光の反射の低減作用により、導光板１２への入光効率を向上させるものである。しかも、導光板１２の入光面１２ａには、モスアイパターン１２ｅと別に突起部１２ｆが形成されており、この突起部１２ｆのＬＥＤ１０６へ向けての突出量Ｈが、モスアイパターン１２ｅのＬＥＤ１０６へ向けての突出量Ｔに比して大きく構成されている。このため、導光板１２の入光面１２ａと、入光面１２ａに対向するＬＥＤ１０６とが接触する際には、モスアイパターン１２ｅよりも突出量が大きい突起部１２ｆが当接することとなり、ＬＥＤ１０６とモスアイパターン１２ｅとが離間した状態が、常に維持されることとなる。
【００２８】
その結果として、モスアイパターン１２ｅとＬＥＤ１０６とが接触することに起因する、モスアイパターン１２ｅの破損を回避することが可能となる。又、ＬＥＤ１０６と導光板１２とを対向配置させて面状照明装置１０が組み上げられた後に、外部振動や熱膨張等によりＬＥＤ１０６と導光板１２との位置関係に変化が生じたとしても、ＬＥＤ１０６からモスアイパターン１２ｅへと力が加わることを回避することが可能となり、面状照明装置１０の長期信頼性が確保されることとなる。
【００２９】
又、本発明の実施の形態に係る面状照明装置１０は、突起部１２ｆが、入光面１２ａのＬＥＤ１０６に当接可能な位置に設けられている。このため、導光板１２の入光面１２ａに設けられた突起部１２ｆを当接させるための当接部を別個に設けることなく、入光面１２ａの、ＬＥＤ１０６に当接可能な位置に設けられた突起部１２ｆが、ＬＥＤ１０６に確実に当接し、ＬＥＤ１０６とモスアイパターン１２ｅとが離間した状態が、常に維持されることとなる。
【００３０】
又、本発明の実施の形態に係る面状照明装置１０は、図１に示されるように、導光板１２の入光面１２ａの短手方向の両端のうち、少なくとも一方に沿って延びるように形成された突起部１２ｆが、ＬＥＤ１０６のランプハウスの頂面１０６ｂに確実に当接することで、ＬＥＤ１０６とモスアイパターン１２ｅとが離間した状態が、常に維持されることとなる。又、図１のごとく、突起部１２ａが、ＬＥＤ１０６のランプハウスの頂面１０６ｂの、導光板１２の厚み方向の両端部近傍に当接することにより、ＬＥＤ１０６と突起部１２ａとがより安定的に当接するものとなる。
【００３１】
又、図２（ａ）、（ｂ）に示されるように、導光板１２の入光面１２ａの短手方向に延びる形態で、突起部１２ｆが形成された場合も、突起部１２ｆがＬＥＤ１０６のランプハウスの頂面１０６ｂに確実に当接することで、ＬＥＤ１０６とモスアイパターン１２ｅとが離間した状態が、常に維持されることとなる。
なお、図２（ａ）、（ｂ）の例においても、突起部１２ｆは、ＬＥＤ１０６のランプハウスの頂面１０６ｂの発光面１０６ａを挟んで、両側に当接することとしても良く、又、片側にのみ当接することとしても良いが、図示のごとく両側に当接することとすれば、ＬＥＤ１０６と突起部１２ｆとが、より安定的に当接するものとなる。
【００３２】
又、図２（ｂ）に示されるように、導光板１２の入光面１２ａの短手方向に延びる形態で形成されている突起部１２ｆに設けた、位置決め部として機能する段部１２ｇによって、ＬＥＤ１０６と突起部１２ｆとの位置決めがなされるものである。これにより、ＬＥＤ１０６と導光板１２の入光面１２ａに形成されたモスアイパターン１２ｅとの位置決めが、より確実になされるものとなる。
【００３３】
又、本発明の実施の形態に係る面状照明装置１０は、図３、図４に示されるように、入光面１２ａの短手方向に延びる形態で形成された突起部１２ｆに、導光板１２の入光面１２ａの長手方向に互いに間隔を置いて形成された複数の入光プリズム１２ｆｐが含まれることとしても良い。この場合には、ＬＥＤ１０６から出射された光が、導光板１２の入光面１２ａに入光する際に、入光面１２ａに形成された入光プリズム１２ｆｐによる、入光面１２ａでの光の配向制御作用により、導光板１２への入射光の配向分布の適正化を図ることが可能となる。
【００３４】
そして、突起部１２ｆに、導光板１２の入光面１２ａの長手方向に互いに間隔を置いて形成された複数の入光プリズム１２ｆｐが含まれる場合において、図３に示されるように、モスアイパターン１２ｅが、入光プリズム１２ｆｐ間に設けられた平坦部に形成されていることにより、導光板１２の入光面１２ａと、入光面１２ａに対向するＬＥＤ１０６とが接触する際には、モスアイパターン１２ｅよりも突出量が大きい入光プリズム１２ｆｐが当接することとなり、ＬＥＤ１０６とモスアイパターン１２ｅとが離間した状態が、常に維持されることとなる。
なお、モスアイパターン１２ｅが、入光プリズム１２ｆｐ間に設けられた平坦部に形成されていることにより、図３（ｂ）に示されるように、プリズム部以外透過率１００％となり、モスアイパターン１２ｅを備えない通常品に比べ、光束（ｌｍ）及び効率（％）が向上していることが、本発明者らによって確認されている。
【００３５】
又、図４に示されるように、モスアイパターン１２ｅが、入光プリズム１２ｆｐを構成する傾斜面に形成されていることにより、導光板１２の入光面１２ａと、入光面１２ａに対向するＬＥＤ１０６（図１参照）とが接触する際には、モスアイパターン１２ｅよりも突出量が大きい入光プリズム１２ｆｐの頂部が当接することとなり、ＬＥＤ１０６とモスアイパターン１２ｅが形成された入光プリズム１２ｆｐの傾斜面とが離間した状態が、常に維持されることとなる。
そして、図４の例の場合にも、図３の例と同様に、モスアイパターン１２ｅを備えない通常品に比べ、光束（ｌｍ）及び効率（％）が向上することが、本発明者らによって確認されている。
【００３６】
更に、図５（ａ）の例では、ＬＥＤ１０６から出射された光が、導光板１２の入光面１２ａに入光する際に、入光面１２ａに形成されたモスアイパターン１２ｅによる、入光面１２ａでの光の反射の低減作用を、モスアイパターン１２ｅに含まれる、２種類以上のパターン部１２ｅ１、１２ｅ２の、各々の形態により適正化し、導光板１２への入光効率をより一層向上させることが可能となる。
【００３７】
図５（ｂ）には、ＬＥＤ１０６から導光板１２の入光面１２ａへの光の入射角度が０°（垂直入射）と３０°との場合における、アスペクト比と反射率との関係を示している。そして、いずれの入射角度においても、アスペクト比を大きくすることにより、反射率を小さく（透過率を大きく）することが可能であることが読み取れる。ここで、特徴的な点として、比較的小さな反射率が得られるアスペクト比が、０．５から１．５の範囲において、同一の反射率（透過率）を得るのに必要な値が、入射角度によって異なっている。具体的には、入射角度が０°よりも３０°のほうが、同一の反射率（透過率）を得るのに必要なアスペクト比が大きくなっている。
【００３８】
一方、ＬＥＤ１０６から出射した光Ｌは、図５（ｃ）に示されるように、ＬＥＤの発光素子１０６ｃから放射状に広がりながら、導光板１２の入光面１２ａに入射する。このため、上述の入射角度におけるアスペクト比と反射率（透過率）との関係から、導光板１２の入光面１２ａの短手方向に対して、モスアイパターン１２ｅのアスペクト比を、光源の発光中心部に対する距離に応じて、異なる態様のパターン部１２ｅ１、１２ｅ２で構成することで、入射効率を更に大きくすることが可能となる。
本発明の実施の形態では、第１のパターン部１２ｅ１のアスペクト比を０．８とし、その両側に位置する第２のパターン部１２ｅ２を１．１とすることで、適切な入射効率効果を得るものである。なお、必要に応じて、モスアイパターン１２ｅを構成するパターン部の数を、３種類以上に増やすこととしても良い。
【００３９】
更に、ＬＥＤ１０６から出射する光Ｌは、導光板１２の入光面１２ａの長手方向に対しても、放射状に広がることから、図示は省略するが、入光面１２ａの長手方向に対しても、モスアイパターン１２ｅのアスペクト比を変えるようにすることで、同様の作用効果を得ることが可能となる。
又、ＬＥＤ１０６から出射する光Ｌの方向によって、光の色度（波長）がわずかに異なることが分かっており、色度に合わせてモスアイパターン１２ｅのアスペクト比を変えるように構成することも可能である。
更には、突起部１２ｆとして、図１に示されるような、導光板１２の入光面１２ａの短手方向の両端のうち少なくとも一方に沿って（導光板１２の入光面１２ａの長手方向に）延びる形態のものと、図２から図４に示されるような、導光板１２の入光面１２ａの短手方向に延びる形態のものとを、双方設けることとしても良い。
【符号の説明】
【００４０】
１０：面状照明装置、１２：導光板、１２ａ：入光面、１２ｂ：出射面（主面）、１２ｅ：モスアイパターン、  １２ｅ１：第１のパターン部、１２ｅ２：第２のパターン部、１２ｆ：突起部、１２ｆｐ：入光プリズム、１０６：ＬＥＤ
【図１】
2014107155.tif 000003
【図２】
2014107155.tif 000004
【図６】
2014107155.tif 000005
【図３】
2014107155.tif 000006
【図４】
2014107155.tif 000007
【図５】
2014107155.tif 000008